(57)【要約】【課題】  １点目は、省エネ設定の選択はあくまで、システムが決定しているので、ユーザがインタラクティブに省エネ設定を選択し実行することはできない。２点目は、省エネ設定は静的な設定として予めシステムに登録する必要がある。従って状況に応じて動的に省エネ設定を生成することができない。【解決手段】  スキャンや印刷などのファンクションを実行する際に、インタラクティブに省エネ設定を選択し実行できる手段、利用状況に応じて最適な省エネ設定を動的に作成することを特徴とする画像形成処理装置。【選択図】  図６
2012218282.tif 000002
【特許請求の範囲】
【請求項１】
省エネルギー（省エネ）を実現する画像形成処理装置１００であって、処理装置が有する入力/編集/出力の各機能パラメータを変更する状況において、パラメータ変更をユーザに変更させるか又はシステムで自動的に判断するか否かを設定する手段（Ｓ１０６）、予め設定された設定値に基づいてシステムが自動的に各機能パラメータを変更する手段（Ｓ１０７）、ユーザが画像形成処理装置をインタラクティブに操作することによって各機能パラメータを変更する手段（Ｓ１１０）、省エネ設定がONの場合に省エネ設定を自動生成する処理を実施する手段（Ｓ９０５）を備えることを特徴とする画像形成処理装置（１００）。
【請求項２】
手動設定時（インタラクティブ操作時）に予め設定されている省エネ設定を表示しユーザに選択させることを特徴とする請求項１に記載の画像形成処理装置。（Ｓ２０３）。
【請求項３】
選択された省エネ設定に基づきファンクションフローの各パラメータ群を一時的に上書きすることを特徴とする請求項２に記載の画像形成処理装置。（Ｓ２０５〜Ｓ２１５）。
【請求項４】
自動設定時（システム自動設定）に実行時のカウンタ値/実行時の現在時刻/実行時のファンクションフローによって自動的にパラメータの変更指定が可能なことを特徴とする請求項３に記載の画像形成処理装置（Ｓ３０２）。
【請求項５】
実行時のカウンタ値に基づいてパラメータ値を変更する際に、設定されたカウンタ値の上限を越えたか否かでパラメータ変更の実施の判断をすることを特徴とする請求項４に記載の画像形成処理装置（Ｓ４０３）。
【請求項６】
指定時間に基づいてパラメータ値を変更する際に、現在時刻が設定された指定時間内か否かでパラメータ変更の実施の判断をすることを特徴とする請求項５に記載の画像形成処理装置（Ｓ５０３）。
【請求項７】
実行するファンクションフローに基づいてパラメータ値を変更する際に、設定された機能が現状実行しようとしているファンクションフローに含まれているか否かでパラメータ変更の実施の判断をすることを特徴とする請求項６に記載の画像形成処理装置（Ｓ６０３）。
【請求項８】
実行するファンクションフローに従い、設定されている省エネポイントを減算又は加算し更新することを特徴とする請求項７に記載の画像形成処理装置（Ｓ７０４〜Ｓ７０６）。
【請求項９】
現状の省エネポイントに基づき、ポイント値により変更するパラメータ値を変化させて既存の設定を上書きすることを特徴とする請求項８に記載の画像形成処理装置（Ｓ８０１〜Ｓ８２８）。
【請求項１０】
現状の総省エネポイントに基づき、自動生成される省エネ設定のパラメータ値が変化することを特徴とする請求項９に記載の画像形成処理装置。（Ｓ１００１〜Ｓ１００９）。
【請求項１１】
省エネ設定がONで自動設定時には、設定されている省エネ設定値を取得し、ファンクションの各種パラメータを上書きすることを特徴とする請求項１０に記載の画像形成処理装置。（Ｓ１１０１〜Ｓ１１２４）。
【発明の詳細な説明】
【技術分野】
【０００１】
本発明は、画像形成処理装置においてドキュメントをスキャンして印刷/保存/編集/送信する際に、省エネルギーで実施することに関する。
【背景技術】
【０００２】
近年、世界的な省エネルギー（orエコロジー）志向により、オフィス製品においても画像形成処理装置においてスキャンしたドキュメントを印刷する際に、消費エネルギーで実現できる技術が開発されてきている。
【０００３】
このような中で、上記を実現する従来技術として、出力デバイスと使用量管理サーバにおいて目標期間と使用量の目標値を設定し、使用量予測手段が目標値の達成が困難だと判断すると、ジョブモード（省エネ設定）を変更し資源利用を抑えるように印刷設定を変更する技術がある（特許文献１）。
【先行技術文献】
【特許文献】
【０００４】
【特許文献１】特開２００７−２４９５６３号公報
【発明の概要】
【発明が解決しようとする課題】
【０００５】
上記従来技術を利用した現状の省エネ技術には以下のような課題がある。
【０００６】
・ユーザが自由に省エネ設定を変更できない。
【０００７】
省エネ設定の選択はあくまで、システムが決定しているので、ユーザがインタラクティブに省エネ設定を選択し実行することはできない。
【０００８】
・動的に省エネ設定を作成できない。
【０００９】
省エネ設定は、静的な設定として予めシステムに登録する必要がある。従って使用状況に応じて動的に省エネ設定を生成することができない。
【課題を解決するための手段】
【００１０】
省エネルギー（省エネ）を実現する画像形成処理装置１００であって、処理装置が有する入力/編集/出力の各機能パラメータを変更する状況において、パラメータ変更をユーザに変更させるか又はシステムで自動的に判断するか否かを設定する手段（Ｓ１０６）、予め設定された設定値に基づいてシステムが自動的に各機能パラメータを変更する手段（Ｓ１０７）、ユーザが画像形成処理装置をインタラクティブに操作することによって各機能パラメータを変更する手段（Ｓ１１０）、省エネ設定がONの場合に省エネ設定を自動生成する処理を実施する手段（Ｓ９０５）を備えることを特徴とする画像形成処理装置１００。
【発明の効果】
【００１１】
ユーザの判断及びシステム判断により省エネを実行するか否かを選択できるので、ユーザの利便性及び柔軟性が高く顧客環境に合わせた最適な省エネシステムを提供できる。
【００１２】
省エネ設定を、予め設定することや実行時に動的に生成することも可能であるので管理者のメンテナンスコスト低減できる。
【図面の簡単な説明】
【００１３】
【図１】システム構成図
【図２】ハードウェア構成図
【図３】メモリマップ図
【図４】メディアのデータ内容図
【図５】画像形成処理装置のハードウェア構成図
【図６】本発明の概要フローチャート
【図７】手動省エネ設定処理のフローチャート
【図８】自動設定判別のフローチャート
【図９】自動設定におけるカウンタ値チェックのフローチャート
【図１０】自動設定における時刻指定チェックのフローチャート
【図１１】自動設定におけるファンクションフローチェックのフローチャート
【図１２】省エネポイント処理のフローチャート
【図１３】省エネ設定ポイント処理のフローチャート
【図１４】自動省エネ設定処理のフローチャート
【図１５】省エネ設定自動生成処理までのフローチャート
【図１６】省エネ設定自動生成処理のフローチャート
【図１７】本機能で設定可能なパラメータの一覧
【発明を実施するための形態】
【００１４】
以下、本発明を実施するための最良の形態について図面を用いて説明する。
【００１５】
［実施例１］
（システム構成図（図１））
図１は、本発明のシステム構成の1例である。
【００１６】
１００はスキャン機能、印刷処理機能、各種通信機能、本発明の各種サービスをユーザに提供するための操作パネルを具備した画像生成処理装置である。２００は本発明で生成した電子データが保存可能なサーバである。
（ハードウェア構成図（図２））
図２は、本プログラムが動作する画像形成処理装置１００と連携すするコンピュータ２００の概略構成を示すブロック図である。
【００１７】
ＣＰＵ００１は、ＨＤ（ハードディスク）００６に格納されているアプリケーションプログラム、プリンタドライバプログラム、ＯＳやネットワークプリンタ制御プログラム等を実行し、ＲＡＭ００３にプログラムの実行に必要な情報、ファイル等を一時的に格納する制御を行う。ＲＯＭ００２には、基本Ｉ／Ｏプログラム等のプログラム、文書処理の際に使用するフォントデータ、テンプレート用データ等の各種データを記憶する。００３はＲＡＭであり、ＣＰＵ００１の主メモリ、ワークエリア等として機能する。００４は外部記憶ドライブであり、メディア００５に記憶されたプログラム等を本コンピュータシステムにロードすることができる。００５はメディアであり、本実施例で説明するプログラムおよび関連データを格納しており、その記憶されている内容の構成を以下、図３に示す。
【００１８】
００６はＨＤであり、アプリケーションプログラム、プリンタドライバプログラム、ＯＳ、制御プログラム、関連プログラム等を格納している。００７はキーボードであり、ユーザがクライアントコンピュータに対して、デバイスの制御コマンドの命令等を入力指示するものである。００８はディスプレイであり、キーボード００７から入力したコマンドや、プリンタの状態等を表示したりするものである。０１０はシステムバスであり、クライアントコンピュータ内のデータの流れを司るものである。００９はネットワークインターフェイス（以下、Ｉ／Ｆという）であり、ローカルエリアネットワーク（ＬＡＮ）あるいは、インターネットに接続するための通信インターフェイスである。
【００１９】
（メモリマップ図（図３））
図３は、本発明のプログラムがＲＡＭ００３にロードされ実行可能となった状態のメモリマップを表すものである。
【００２０】
本実施例では、メディア００５からプログラム及び関連データを直接ＲＡＭ００３にロードして実行させる例を示すが、この以外にも、メディア００５から本発明のプログラムを動作させる度に、ＨＤ００６からＲＡＭ００３にロードするようにしてもよい。また、本発明のプログラムを記録する媒体は、メディアはＦＤ、ＣＤ−ＲＯＭ、ＤＶＤ、ＩＣメモリーカード等であっても良い。
【００２１】
更に、本発明のプログラムをＲＯＭ００２に記録しておき、これをメモリマップの一部となすように構成し、直接ＣＰＵ００１で実行することも可能である。０１２は基本Ｉ／Ｏプログラムであり、本制御装置の電源がＯＮされたときに、ＨＤ００６からＯＳがＲＡＭ００３に読み込まれ、ＯＳの動作を開始させるＩＰＬ（イニシャルプログラムローティング）機能等を有しているプログラムが入っている領域である。０１３はＯＳであり、０１４には制御プログラム、０１５には関連データがそれぞれ展開され、０１６にはＣＰＵ００１が本プログラムを実行するワークエリアがとられている。
【００２２】
（メディアのデータ内容図（図４））
図４は、０１７のメディア００５のデータ内容であり、０１８はデータの情報を示すボリューム情報であり、０１９はディレクトリ情報、０２０は本実施例で説明するプログラム、０２１はその関連データである。０２０のプログラムは、図６〜１６に示される本プログラムのフローチャートに基づいてプログラムコード化されたものである。
【００２３】
（画像形成処理装置のハードウェア構成図（図５））
図５は、本発明のプログラムが動作する画像形成処理装置１００の内部構成図である。１０００は印刷装置のＣＰＵで、ＲＯＭ１００２のプログラム用ＲＯＭに記憶された制御プログラム等あるいは外部メモリ１０１０に記憶された制御プログラム等に基づいてシステムバス１０１１に接続される印刷部Ｉ／Ｆ１００４を通し、印刷部（プリンタエンジン）１００７に出力情報としての画像信号を出力する。
【００２４】
また、このＲＯＭ１００２のプログラムＲＯＭには、ＣＰＵ１０００の制御プログラム等を記憶する。ＲＯＭ１００２のフォント用ＲＯＭには上記出力情報を生成する際に使用するフォントデータ等を記憶し、ＲＯＭ１００２のデータ用ＲＯＭにはハードディスク等の外部メモリ１０１０がない印刷装置の場合には、クライアント装置上で利用される情報等を記憶している。ＣＰＵ１０００はネットワークＩ／Ｆ１００４を介してネットワークと接続し、クライアント装置３００との通信処理が可能となっており、印刷装置内の情報等をクライアント装置３００に通知可能に構成されている。
【００２５】
１００１はＣＰＵ１０００の主メモリ、ワークエリア等として機能するＲＡＭで、図示しない増設ポートに接続されるオプションＲＡＭによりメモリ容量を拡張することができるように構成されている。なお、ＲＡＭ１００１は、出力情報展開領域、環境データ格納領域、ＮＶＲＡＭ等に用いられる。表示部１００９は印刷サービス利用者に対して様々な情報を伝える。前述したハードディスク（ＨＤ）、ＩＣカード等の外部メモリ１０１０は、外部メモリＩ／Ｆ１００６によりアクセスを制御される。外部メモリ１０１０は、オプションとして接続され、フォントデータ、エミュレーションプログラム、フォームデータ等を記憶する。また、１００８は前述した操作パネルで操作のためのスイッチおよびＬＥＤ表示器等が配されている。
【００２６】
また、前述した外部メモリは１個に限らず、少なくとも１個以上備え、内蔵フォントに加えてオプションフォントカード、言語系の異なる印刷装置制御言語を解釈するプログラムを格納した外部メモリを複数接続できるように構成されていてもよい。さらに、図示しないＮＶＲＡＭを有し、操作パネル１００８からの印刷装置モード設定情報を記憶するようにしてもよい。また、時計装置１００３は証明書が有効期限切れかどうかを調べるときに使用するものである。時計装置１００３はROM１００２に同一の時計機能を備えさせるまたは、印刷装置の外部に同一の機能を備える構成としても良い。
【００２７】
（本発明の概要フローチャート（図６））
図６は、本発明の概要フローチャートである。本処理は、画像形成装置１００のＲＯＭ１００２内、またはハードディスク１０１０に記憶されたプログラムにしたがって、ＣＰＵ１０００により実行される。
【００２８】
まずS１０１で画像形成処理装置においてTOP画面の表示を行う。S１０２でファンクションフローボタンが押下されるとS１０３で省エネ設定のチェックを行う。予め設定されている設定項目（図１７のパラメータ一覧の値）から省エネ処理機能のON/OFF情報を取得する。S１０４で取得したON/OFF情報を元に、OFFの場合設定確認ダイアログ表示S１１２を行い、ONの場合は処理種別チェックを行う。S１０５では省エネ設定の処理種別チェックを行う。種別としては自動設定と手動設定があり設定項目から値を取得する。S１０６では自動設定処理が選択された場合に設定項目に従い、S１０７で自動省エネ判別処理を実行する。この処理では実施する自動設定の種別を特定する。
【００２９】
次にS１０８では自動省エネ設定処理を実施する。この処理では省エネ設定に基づき、自動的に省エネ設定処理の実施を行う。また手動設定が選択された場合は、S１０９で省エネ設定の選択ダイアログの表示を行う。ダイアログ表示後に省エネ設定がユーザにより選択されると、S１１０で省エネ設定を実行するか否かの判断を行う。実行する場合は、S１１１の手動省エネ設定処理を行う。次にS１０７、S１１１が完了すると、S１１２の省エネポイントチェック処理を実施する。この処理では、現状の省エネポイントを基に省エネポイント処理を実施する。そしてS１１３では最終的なファンクションフローの設定確認ダイアログの表示を行う。ダイアログでのユーザ確認が完了すると、ファンクションフローを実行する。その際に、S１１４で最終的に実行されたファンクションフローを基に、省エネポイント処理を実施する。
【００３０】
（手動設定のフローチャート（図７））
図７は、図６のS１１１における手動設定のフローチャートである。S２０１では選択された省エネ設定に基づき、ファンクションフローに設定されている色設定（カラー/白黒等）を省エネ設定値で上書きする。ここでいう省エネ設定値とは図１７示している値である。そしてＳ２０２では、ファンクションフローに設定されている解像度設定を省エネ設定値で上書きする。
【００３１】
Ｓ２０３では、ファンクションフローに設定されている割付設定を省エネ設定値で上書きする。Ｓ２０４では、ファンクションフローに設定されている原稿の種類設定を省エネ設定値で上書きする。Ｓ２０５では、ファンクションフローに設定されている両面設定を省エネ設定値で上書きする。Ｓ２０６では、ファンクションフローに設定されている濃度設定を省エネ設定値で上書きする。
【００３２】
次にＳ２０７では、編集ファンクションが存在するか否かのチェックを行う。存在する場合、S２０８で編集ファンクションに最終白紙ページ削除設定をする。この設定を行うと、スキャンしたドキュメントの最終ページが白紙だった場合に、最終ページの削除を行う。S２０９では出力ファンクションが存在するか否かのチェックを行う。存在する場合、S２１０でファンクションフローに設定されている出力カラー設定値を省エネ設定値で上書きする。またS２１１ではフローに設定されている出力用紙値を省エネ設定値で上書きする。
【００３３】
（自動設定のフローチャート（図８））
図８は、図６のS１０７における自動設定のフローチャートである。まずS３０１で設定されている自動設定の種別チェックを行う。S３０２では種別のチェック結果に基づき、S３０３のカウンタ値省エネチェック又はS３０４の時間指定チェック又はS３０５のフローファンクションチェックを実施する。これらのいずれかのチェックにより、自動的に省エネ設定を実行するか否かを決定する。そしてS３０６では、省エネ適用処理を実施する。
【００３４】
（自動設定におけるカウンタ値チェックのフローチャート（図９））
図９は、自動設定におけるカウンタ値チェックのフローチャートである。S４０１では設定項目から省エネカウンタ値を取得する。次にS４０２で画像形成処理装置から現状のジョブのカウンタ値を入手する。そしてS４０３では現状のジョブカウンタ値が省エネカウンタ値を超えている場合、S４０４で省エネ実施フラグをONにする。超えていない場合は、実施フラグはOFFとする。
【００３５】
（自動設定における時刻指定チェックのフローチャート（図１０））
図１０は、自動設定における時刻指定チェックのフローチャートである。S５０１では設定項目から省エネ時間指定値を取得する。次にS５０２で画像形成処理装置ら現状の時刻値を入手する。そしてS５０３では現状の時刻が省エネ時間指定の範囲内か否かのチェックを行う。範囲内の場合S５０４で省エネ実施フラグをONにする。範囲外の場合は、実施フラグはOFFとする。
【００３６】
（自動設定におけるファンクションフローチェックのフローチャート（図１１））
図１１は、自動設定におけるファンクションフローチェックのフローチャートである。S6０１では設定項目から対象とする省エネファンクションを取得する。次にS６０２で画像形成処理装置ら現状指定されているファンクションフローの情報を取得する。そしてS６０３では現状のファンクションフローが省エネ設定対象として指定されたファンクションを含んでいるか否かチェックを行う。含んでいる場合、S５０４で省エネ実施フラグをONにする。含んでない場合は、実施フラグはOFFとする。
【００３７】
（省エネポイント設定処理のフローチャート（図１２））
図１２は、図６のS１１４の処理である省エネポイント処理のフローチャートである。S７０１で設定されている省エネ設定を取得する。S７０２で省エネ設定の省エネポイントを取得する。この際に、省エネ設定がされていなかった場合の減算ポイントも取得する。S７０３では、実行したファンクションフローの情報を判断し、標準設定のまま実行された場合はS７０４で設定されている省エネポイントを減算し、省エネ設定で実行された場合はS７０５で設定されている省エネポイントを加算する処理を行い、S７０６で最終的に現状保有している総省エネポイントの更新をする。
【００３８】
（省エネ設定ポイント適用処理のフローチャート（図１３））
図１３は、図６のS１１３の省エネポイントチェック処理のフローチャートである。S８０１で省エネポイントフラグのチェックを行う。S８０２でNoと判断した場合、処理を終了する。Yesの場合、S８０３で省エネポイント値を取得する。S８２９で省エネポイントが０以上の場合は、S８０４で指定されている設定値を保持したまま処理を終了する。そしてS８０５で省エネポイントが０未満マイナス１０以上の場合は、S８０６でカラー選択をカラーに設定する処理、S８０７で倍率を８６％に設定する処理、S８０８で面付け選択を2in１に設定する処理、S８０９で画質設定を文字に設定する処理、S８１０で濃度選択を８に設定する処理、S８１１で印刷設定を両面に設定する処理を実施する。
【００３９】
またS８１２で省エネポイントがマイナス１０未満マイナス２０以上の場合は、S８１３でカラー選択を白黒に設定する処理、S８１４で倍率を５０％に設定する処理、S８１５で面付け選択を４in１に設定する処理、S８１６で画質設定を文字に設定する処理、S８１７で濃度選択を５に設定する処理、S８１１で印刷設定を両面に設定する処理、S８１９で印刷用紙サイズをA4に設定する処理を実施する。
【００４０】
またS８２０で省エネポイントがマイナスマイナス２０未満の場合は、S８２１でカラー選択を白黒に設定する処理、S８２２で倍率を２５％に設定する処理、S８２３で面付け選択を８in１に設定する処理、S８２４で画質設定を文字に設定する処理、S８２５で濃度選択を２に設定する処理、S８２６で印刷設定を両面に設定する処理、S８２７で編集することで最終ページが白紙の場合削除する処理、S８２８で印刷用紙サイズをA５に設定する処理を実施する。
【００４１】
（省エネ設定自動生成処理までのフローチャート（図１４））
図１４は、省エネ設定自動生成処理までのフローチャートである。S１１０１で省エネ適用フラグのチェックを行う。S１１０２ではフラグがOFFの場合は処理を終了する。ONの場合は、省エネ設定を実行する処理に遷移する。S１１０３では設定されている省エネ設定値を取得する。S１１０４では入力ファンクションの省エネ設定値があるか否かのチェックを行う。省エネ設定がない場合は、S１１１７に遷移する。省エネ設定がある場合にはS１１０５に遷移する。S１１０５ではカラー設定値の定義がされているか否かを判断し、されている場合はS１１０６でフルカラー/白黒等の設定処理を行う。
【００４２】
次にS１１０７では倍率設定が定義されているか否かを判断し、されている場合はS１１０８で８６％、７０％、６１%、５０%、２５%等の設定処理を行う。次にS１１０９では割付設定が定義されているか否かを判断し、されている場合はS１１１０で2in1、4in1、8in1の設定を行う。次にS１１１１では原稿の種類の定義がされているか否かを判断し、されている場合はS１１１２で文字・写真・地図/印画紙・写真/印刷写真/文字等の設定を行う。次にS１１１３では両面設定の定義がされているか否かを判断し、されている場合S１１１４で片面/両面等の設定を行う。次にS１１１５では濃度設定が定義されているか否かを判断し、されている場合はS１１１６で1/2/3/4/5/67/8/9/19等の設定を行う。
【００４３】
次にS１１１７では編集ファンクションが定義されているか否かを判断し、定義されている場合はS１１１８に遷移する。S１１１８では最終ページ白紙ページ削除が定義されているか否かを判断し、されている場合は削除処理等を設定する。次にS１１２０では出力ファンクションが定義されているか否かを判断し、されていればS１１２１に遷移する。S１１２１ではカラー設定が定義されているか否かを判断し、されている場合S１１２２でフルカラー/白黒等の設定を行う。次にS１１２３では用紙選択の定義がされているか否かを判断し、されている場合はS１１２４でA4/A3/B4/B5/A5等の設定を行う。
【００４４】
（本機能で設定可能なパラメータの一覧（図１７））
図１７は、本機能で設定可能なパラメータの一覧である。これらのパラメータ設定は画像形成処理装置の表示装置又は外部システムから画像処理装置にアクセスして行う又は外部システムで編集した設定ファイルを画像形成処理装置にインポートして利用するものとする。S１２０１は省エネ実行設定である。本機能を有効にする場合「ON」を、無効にする場合は「OFF」を設定する。
【００４５】
S１２０２では省エネ処理種別の設定を行う。「手動」を選択した場合、ユーザが省エネ設定を選択する。つまりファンクションフローの実行時に、ユーザがインタラクティブに実行する省エネ設定を表示された選択肢から選択する処理となる。また「自動」を選択した場合、システムがS１２０４で選択する省エネ判断基準に従って省エネ設定を実施するか否かを判断し、実施する場合は図１４のフローで設定する。この際に使用する値は、S１２０５で設定された省エネ設定（省エネモード）の値を使用する。
【００４６】
次にS１２０３では省エネポイント設定を設定する。まず機能の「ON」「OFF」選択と、省エネ設定を実行しなかった場合に減算されるポイントの指定（ユーザ設定値）、またS１２０５の省エネ設定で“省エネポイント”が指定されなかった場合に使用するデフォルト値（無指定時ポイント）を指定する。
【００４７】
S１２０４では省エネ判断基準を設定する。基準としては3種類あり、“カウンタ値”、“時間指定値”、“ファンクションフロー”がある。カウンタ値指定では部門及び個人のカウンタ値上限を設定できそれを超えると省エネ設定を実行する。また時間指定値は、開始時間と終了時間を指定すると、その範囲内でファンクションフローが実行された際に省エネ設定を実行する。そしてファンクションフロー設定は、設定したファンクションフローを実行すると、省エネ設定を実行する機能である。
【００４８】
S１２０５はS１２０２の処理種別設定で“自動”が選択された場合に、実行する省エネ設定を指定する。
【００４９】
S１２０６は、省エネ設定を作成する。この省エネ設定は複数作成することが可能である。ここで作成した省エネ設定が、ユーザが選択する省エネ設定となり、又は自動処理時に実行する省エネ設定となる。“名前”は省エネ設定の名前である。“概要”は省エネ設定を機能を表す要約を指定する。“スキャン設定”、“編集設定”、“出力設定”ではそれぞれのファンクションで省エネ設定時に指定する、詳細な設定値を設定する。“省エネポイント”はこの省エネ設定を実行した際に、何ポイント省エネ設定として獲得できるかを指定する。
【００５０】
［実施例２］
実施例２として、動的に省エネ設定を作成できるようにする。
【００５１】
（省エネ設定自動生成処理のフローチャート（図１５））
図１５は、省エネ設定自動生成処理のフローチャートである。この図のS９０４は図６のS１０４に対応している。実施例２ではS９０４で省エネ設定が定義されている場合に、S９０５の省エネ設定自動生成処理を実施する。処理内容に関しては、図１６の説明で行う。
【００５２】
（省エネ設定自動生成処理の詳細フローチャート（図１６））
図１６は、省エネ設定自動生成処理の詳細フローチャートである。まずS１００１では省エネポイントの総数を取得する。次にS１００２では取得した総省エネポイントが０以上の場合は、S１００３で省エネ設定としてスキャン設定に両面/2in1設定をセットする。また総省エネポイントが０未満の場合、S１００４で省エネ設定として編集ファンクションを追加する。S１００５では総省エネポイントが15未満の場合、S１００６で出力ファンクションを送信ファンクションに変更する。次にS１００７では総省エネポイントが３０未満の場合は、出力ファンクションをBOX保存ファンクションに変更する。以上のS１００３〜S１００９で設定した省エネ設定をS１００９で画像形成処理装置に登録する。
【００５３】
（実施例２の効果）
効果としては、静的に省エネ設定を用意しなくても動的に省エネ設定が生成されるので、管理者としては省エネ設定の手間が省け、設定管理の手間が軽減する。また現状の総省エネポイントに基づいて、省エネ設定が作成されるのでより省エネ効果が高い省エネ設定を作成することができるので、ユーザの選択肢を広げることができる。
【符号の説明】
【００５４】
１００  画像形成装置
２００  コンピュータ
【図１】
2012218282.tif 000003
【図２】
2012218282.tif 000004
【図３】
2012218282.tif 000005
【図４】
2012218282.tif 000006
【図５】
2012218282.tif 000007
【図６】
2012218282.tif 000008
【図７】
2012218282.tif 000009
【図８】
2012218282.tif 000010
【図９】
2012218282.tif 000011
【図１０】
2012218282.tif 000012
【図１１】
2012218282.tif 000013
【図１２】
2012218282.tif 000014
【図１３】
2012218282.tif 000015
【図１４】
2012218282.tif 000016
【図１５】
2012218282.tif 000017
【図１６】
2012218282.tif 000018
【図１７】
2012218282.tif 000019